(57)【特許請求の範囲】
【請求項１】
上面部と側面部にわたって切取部を形成し、側面部の下側に折畳部を形成した引抜摘みと、内部には栓が一体に形成された合成樹脂製瓶蓋において、
前記側面部に形成された複数の切取部の間に、側面部の下端の下方に突出された固定突起を一体に形成し、引抜摘みを下方に押圧すると引抜摘みの２個の対向する係止片が側面部に形成した固定突起の下端に係止して固定されるように構成した合成樹脂製瓶蓋の引抜摘みの固定装置。
【請求項２】
前記固定突起は下側端部に突出された突出部を有し、引抜摘みの係止片の中央部分に切開部を形成した請求項１記載の合成樹脂製瓶蓋の引抜摘みの固定装置。
【請求項３】
上面部と側面部にわたって切取部を形成し、側面部の下側に折畳部を形成した引抜摘みと、内部には栓が一体に形成され、前記側面部に形成された複数の切取部の間に固定突起を一体に形成し、引抜摘みに係止片を形成した合成樹脂製瓶蓋において、
前記固定突起は円形の帯形状に形成し、かつ、該下側には延長部を設け、直角形状の折曲係止片を一体的に形成し、係止片の長さｌ´を側面部と係止片までの長さｌより若干長く形成し、引抜摘みを下方に押圧すると引抜摘みの係止片が固定突起に係止して固定されるように構成した合成樹脂製瓶蓋の引抜摘みの固定装置。
【請求項４】
上面部と側面部にわたって切取部を形成し、側面部の下側に折畳部を形成した引抜摘みと、内部には栓が一体に形成され、前記側面部に形成された複数の切取部の間に固定突起を一体に形成し、引抜摘みに係止片を形成した合成樹脂製瓶蓋において、
前記固定突起は両側面に係止段部を形成し、引抜摘みには上側に屈曲された半円形の折畳部とこれ等の後方内側面には各々係止片を形成し、引抜摘みを下方に押圧すると引抜摘みの係止片が固定突起の係止段部に係止して固定されるように構成した合成樹脂製瓶蓋の引抜摘みの固定装置。
【請求項５】
上面部と側面部にわたって切取部を形成し、側面部の下側に折畳部を形成した引抜摘みと、内部には栓が一体に形成され、前記側面部に形成された複数の切取部の間に固定突起を一体に形成し、引抜摘みに係止片を形成した合成樹脂製瓶蓋において、
前記固定突起は係止段部と上下に貫通した通孔を有し、引抜摘みには上側に屈曲された半月形の折畳部と、該後方中央には突起を有する各々係止片を形成し、引抜摘みを下方に押圧すると引抜摘みの係止片が固定突起の係止段部に係止して固定されるように構成した合成樹脂製瓶蓋の引抜摘みの固定装置。
【請求項６】
上面部と側面部にわたって切取部を形成し、側面部の下側に折畳部を形成した引抜摘みと、内部には栓が一体に形成され、前記側面部に形成された複数の切取部の間に固定突起を一体に形成し、引抜摘みに係止片を形成した合成樹脂製瓶蓋において、
前記固定突起は全体的に瓶蓋の側面部下方に長く形成された状態で突出部を形成し、引抜摘みには上側に屈曲された半円形の折畳部を形成し、引抜摘みを下方に押圧すると引抜摘みの係止片が固定突起の突出部に係止して固定されるように構成した合成樹脂製瓶蓋の引抜摘みの固定装置。
【請求項７】
上面部と側面部にわたって切取部を形成し、側面部の下側に折畳部を形成した引抜摘みと、内部には栓が一体に形成され、前記側面部に形成された複数の切取部の間に固定突起を一体に形成し、引抜摘みに係止片を形成した合成樹脂製瓶蓋において、
前記固定突起は板状に構成し、半円形の折畳部が形成された引抜摘みに「¬」字型の係止片を一体に形成し、かつ、係止片の上側に補強突起を一体に形成し、引抜摘みを下方に押圧すると引抜摘みの係止片が固定突起に係止して固定されるように構成した合成樹脂製瓶蓋の引抜摘みの固定装置。
【請求項８】
上面部と側面部にわたって切取部を形成し、側面部の下側に折畳部を形成した引抜摘みと、内部には栓が一体に形成され、前記側面部に形成された複数の切取部の間に固定突起を一体に形成した合成樹脂製瓶蓋において、
前記固定突起は締結片を一体に構成し、半円形の折畳部を形成した引抜摘みの折畳部と折畳部間に締結片を設けて、これに締結溝を形成し、引抜摘みを下方に押圧すると引抜摘みの締結片が固定突起の締結片に係止して固定されるように構成した合成樹脂製瓶蓋の引抜摘みの固定装置。
【請求項９】
上面部と側面部にわたって切取部を形成し、側面部の下側に折畳部を形成した引抜摘みと、内部には栓が一体に形成され、 前記側面部に形成された複数の切取部の間に固定突起を一体に形成した合成樹脂製瓶蓋において、
前記固定突起を瓶蓋の側面部より長く形成し、その下側に締結片を一体に構成し、半円形の折畳部が形成された引抜摘みに締結溝を形成し、引抜摘みを下方に押圧すると引抜摘みの締結溝に固定突起の締結片が係止して固定されるように構成した合成樹脂製瓶蓋の引抜摘みの固定装置。
【請求項１０】
上面部（２）と側面部（３）にわたって切取部（５）を形成し、側面部（３）の下側に折畳部（７１）を形成した引抜摘み（４）と、内部には栓が一体に形成され、前記側面部（３）に形成された複数の切取部の間に固定突起（６９）を一体に形成した合成樹脂製瓶蓋において、
前記固定突起（６９）を瓶蓋の側面部（３）より下方に長く形成してその上下両側に係止段部（７０，７０）を形成し、引抜摘み（４）に上下両面に凹部を有する折畳部（７１）を形成し、引抜摘み（４）を上方又は下方に押圧すると引抜摘み（４）が固定突起（６９）の係止段部（７０，７０）に係止して固定されるように構成した合成樹脂製瓶蓋の引抜摘みの固定装置。
【請求項１１】
上面部（２）と側面部（３）にわたって切取部を形成し、側面部（３）の下側に折畳部を形成した引抜摘み（４）と、内部には栓が一体に形成され、前記側面部（３）に形成された複数の切取部の間に固定突起（７２）を一体に形成した合成樹脂製瓶蓋において、
前記固定突起（７２）を瓶蓋の側面部（３）より下方に突出しないように構成し、引抜摘み（４）を固定突起（７２）の上側側面部に付着し、引抜摘み（４）を下方に押圧すると引抜摘み（４）が固定突起（７２）に係止して固定されるように構成した合成樹脂製瓶蓋の引抜摘みの固定装置。
【請求項１２】
上面部と側面部にわたって切取部を形成し、側面部の下側に折畳部を形成した引抜摘みと、内部には栓が一体に形成され、前記側面部に形成された複数の切取部の間に固定突起を一体に形成した合成樹脂製瓶蓋において、
前記固定突起を瓶蓋側面部より長く構成すると共に、引抜摘みの半円形折畳部が下方に屈曲して形成し、引抜摘みを下方に押圧すると引抜摘みが固定突起に係止して固定されるように構成した合成樹脂製瓶蓋の引抜摘みの固定装置。
【請求項１３】
上面部（２）と側面部（３）とを有し、切取部（５）を形成して側面部（３）下方には折畳部（２２）と内部に栓が一体に形成された合成樹脂製瓶蓋において、
合成樹脂製瓶蓋の側面部（３）に形成された切取部（５）と切取部（５）間に側面部（３）の下端部下方に突出して２個の固定片（２０，２０）を対向させて形成し、固定片（２０，２０）の両側面部に引抜摘み（４）を一体に付着し、かつ、引抜摘み（４）は上方に屈曲した２個の半円形の折畳部（２２）と該折畳部（２２）の間に突出した係止片（２３）及び該係止片（２３）の上面の押圧突起（２４）を有する合成樹脂製瓶蓋の引抜摘みの固定装置。
【請求項１４】
前記２個の固定片は係止段部を有し、１個の折畳部を有する引抜摘みの両側面に形成し、引抜摘みの折畳部後方両側には係止片と上面に押圧突起を各々形成した請求項１３記載の合成樹脂製瓶蓋の引抜摘みの固定装置。
【請求項１５】
前記２個の固定片は係止段部を有し、下側端が連結部として連結し、引抜摘みの２個の半円形折畳部が両側の固定片中央に直接付着し、折畳部間に直角方向に係止片を形成した請求項１３記載の合成樹脂製瓶蓋の引抜摘みの固定装置。
【請求項１６】
上面部と上下に長い形状の側面部に構成され、切取部を形成しており、側面部の下方には折畳部を形成した引抜摘みと、内部に栓を一体に形成した合成樹脂製瓶蓋において、
側面部の切取線と切取線間の上下に固定突起を長く形成し、かつ、固定突起の上側には係止段部を形成し、引抜摘みには固定突起が挿入される係止溝を長く形成した合成樹脂製瓶蓋の引抜摘みの固定装置。
【請求項１７】
前記上下に長い形状に構成した側面部に上下に末端に至る２条の摘み挿入溝を形成し、該下側末端には摘み挿入溝に挿入できる棒状形態の側面を有する引抜摘みを一体に付着した請求項１６記載の合成樹脂製瓶蓋の引抜摘みの固定装置。
【請求項１８】
前記上部に長い形態に構成した側面部に上下に末端に至る引抜摘み全体が挿入できる挿入溝を形成して引抜摘み全体が挿入できるようにした請求項１６記載の合成樹脂製瓶蓋の引抜摘みの固定装置。
【請求項１９】
上面部と側面部に切取部を形成し、側面部の下方に折畳部を形成した引抜摘みと内部に栓を一体的に形成した合成樹脂製瓶蓋において、
瓶蓋の側面部と直角形態に付着された引抜摘みの穴付近まで空間部を形成し、瓶蓋側面部上端の空間部末端と引抜摘みの穴側空間部末端との間に直線形態の支持部を一体に構成した合成樹脂製瓶蓋の引抜摘みの固定装置。
【請求項２０】
前記引抜摘みに側面部から一定長さの空間部を形成し、空間部には空間部の長さより長い支持部を空間部の下方に折曲された状態に構成した請求項１９記載の合成樹脂製瓶蓋の引抜摘みの固定装置。
【請求項２１】
前記末端に突起が形成された引抜摘みの支持部を瓶蓋の側面部内側の挿入部中央部迄挿入されるように形成し、該末端には直上方末端まで支持部連結面を形成した請求項１９記載の合成樹脂製瓶蓋の引抜摘みの固定装置。
【請求項２２】
前記引抜摘みの支持部末端を瓶蓋の側面部内側の挿入部中心まで挿入するように形成し、該末端で下側方向に末端が尖端突出部を一体に形成した請求項２１記載の合成樹脂製瓶蓋の引抜摘みの固定装置。
【発明の詳細な説明】
【０００１】
【産業上の利用分野】
本発明の軟質及び硬質の合成樹脂にて栓が一体的に形成されてオープナーを使用しなくても手で容易に瓶蓋を開けることができる、切取線及び引抜摘み等が形成された合成樹脂製瓶蓋の引抜摘みを瓶口に沿って固定させるための装置の改良に関する。
【０００２】
【従来の技術】
現在使用されておる各種の飲料水瓶や酒類の収容瓶等の蓋は主としてスチールやアルミニウムの金属板で製作されるが、スチール板で製作された蓋の場合は必ずオープナーを使用しなければ蓋を瓶から開けることができない。
また、流通過程においてこの金属蓋が簡単に酸化して腐蝕され、非衛生的である上に視覚的に消費者に不快感を持たせて商品価値を低下する。そしてアルミニウム板製の蓋の場合には、オープナーなしに蓋を開けることはできるが材料費が高価でありながら強度は弱くて密閉効果が劣り、密封性を必要とする炭酸飲料瓶には殆ど使用できなく主に非炭酸飲料にのみ使用する使用上の制約があった。
【０００３】
従って、上記のスチール蓋やアルミニウム蓋の問題点を勘案して、最近ではオープナーなしでもワンタッチに開けられる合成樹脂製瓶蓋が開発されている。このような合成樹脂製瓶蓋は瓶蓋の側面に引抜摘みが一体に形成され、瓶蓋の側面と上面には切取線が形成され、瓶蓋の内部には密閉効果を得るための栓が一体に設けられ、そして栓の強度を維持するためのこの栓に補強リング類を挿入するように構成されている。
【０００４】
しかし、このような合成樹脂製瓶蓋ではスチール蓋やアルミニウム蓋の持つ問題点を殆ど解決しているが、瓶蓋の側面に一体に形成された引抜摘みを固定する手段に問題があった。
即ち、合成樹脂製瓶蓋は瓶蓋の側面部に引抜摘みが一体に形成され、瓶蓋を瓶口に冠着する場合は、この引抜摘みが瓶蓋の側面に直角にたった状態で行うが、これを一旦瓶口に冠着した後は、この引抜摘みも瓶首に並行して密着した状態で固定されなければならない。
【０００５】
つまり、引抜摘みが瓶蓋に対して直角方向に立っていると瓶の取扱の際にこの引抜摘みが邪魔になる上に少し不注意であるとこの引抜摘みが引張られて瓶蓋が開けられるおそれがあるからである。
従って、合成樹脂製瓶蓋を瓶口に冠着した後は、引抜摘みを瓶首に並行して固定することが極めて重要である。しかし、現在開発された瓶蓋は、単純に引抜摘みの突出した部分が瓶蓋側面部下端を乗り越えて係止するように構成されたものであり、内容物の自動充填工程で合成樹脂製瓶蓋を瓶口に冠着（嵌着）と同時に引抜摘みを下方に垂下させて瓶首に固定させる工程で引抜摘みが正確に固定されない事が多かった。
【０００６】
【発明が解決しようとする課題】
本発明は引抜摘みと瓶蓋が一体に形成され、側面部と上面部には切取部が設けられた合成樹脂製瓶蓋において、瓶蓋の側面に一体に形成された引抜摘みが瓶蓋を瓶口に冠着させる工程において、容易に瓶蓋の側面部と直線形態になるように瓶首に密着固着させ、この状態で固定された引抜摘みは、故意に手で引張らなければ瓶口を開口しないようにした瓶蓋の引抜摘みの固定手段を提供することを目的とするものである。
【０００７】
【課題を解決するための手段】
前記目的を達成するための本発明に係る合成樹脂製瓶蓋の引抜摘みの固定装置は、上面部と側面部にわたって切取部が形成されており、側面部の下側には折畳部が形成された引抜摘みと、内部には栓が一体に形成された合成樹脂製瓶蓋において、前記側面部に形成された複数の切取部の間に、側面部の下端の下方に突出された固定突起を一体に形成し、引抜摘みを下側に押圧すると引抜摘みの係止片が側面部に形成した固定突起の下端に係止して固定されるように構成している。
【０００８】
要するに、引抜摘みは合成樹脂製瓶蓋の側面部と一体的に形成しており、瓶口にこの瓶蓋を取付ける前はこの引抜摘みは瓶蓋の側面部側に退避する姿勢をとり、そして瓶口に嵌着した状態では瓶口に沿って畳んだ状態となる姿勢をとるように、瓶蓋の側面部に設けた固定突起と、引抜摘みに形成した係止片とからなるストッパーを設けたものである。
【０００９】
【作  用】
瓶口に瓶蓋を嵌着した状態で引抜摘みを瓶口に沿って押圧すると、固定突起と係止片とが係合してこの引抜摘みは瓶口に沿って固定されることになり、瓶の取扱が容易になる上に、不用意に瓶蓋が開放されることがない。
【００１０】
【課題を解決するための手段】
以下、本発明を添付図面により詳細に説明すると次の通りである。
図１乃至図２２は合成樹脂製瓶蓋側面に一体に形成した固定突起に引抜摘みの係止片部分を係止して引抜摘みを固定する構造の瓶蓋を示している。
即ち、図１に示すように合成樹脂製瓶蓋１は、円板状の上面部２とこの上面部２の周囲に直交してリング状で形成した側面部３を有し、切取部５が側面部３より上面部２にわたってΩ形に形成されている。
【００１１】
そして引抜摘み４が側面部３の下端に一体に形成されている。この側面部３の下端より下方に突出した突出部１１を有し、上面を曲面に形成した固定突起１０を一体に形成し、この固定突起１０の両側面３下端には折畳部１２（ヒンジ部）で引抜摘み４が一体に連結されている。そしてこの引抜摘みの折畳部１２の中央には固定突起１０が挿入される空間部１６と係止片１４とを形成し、係止片１４の中間部に固定突起１０が挿入できる空間部１６が配置され、係止片１４の末端に押圧突起１３を突出形成してある。
【００１２】
このように構成された合成樹脂製瓶蓋１は、自動充填装置で瓶に内容物を充填した後に瓶口に冠着（嵌着）する場合、図１の状態の瓶蓋１を瞬間的に押圧して瓶口に冠着すると同時に引抜摘み４の押圧突起１３部分を押圧する。
すると、引抜摘み４は折畳部１２部分が折曲されながら係止片１４部分が固定突起１０の突出部１１に係止されるが、このときは係止片１４の中央部分に切開部１５が開いてこの係止片１４を固定突起１０が押圧するために、係止片１４が瞬間的に分離して突出部１１が通過して図２に図示するように突出部１１の裏側に係止片１４が係止される。従って、引抜摘み４は瓶蓋１の側面３に沿って瓶首Ａに密着される。
【００１３】
図３は上面部２と側面部３、そしてこれらに連続して形成した切取部５、及び引抜摘み４等を有する瓶蓋１において、引抜摘み４を所定の状態に固定する手段として引抜摘み４の根本部分に「¬」字型に折曲した係止片１９を一体的に形成し、この係止片１９と対向する瓶蓋１の側面部３の下側端部に長く延長した延長部１７を形成し、同時に側面部３に固定突起１８を突出して形成したのである。
【００１４】
又、上記瓶蓋１において係止片１９の長さ〔ｌ´〕は側面部３と係止片１９との間の距離〔ｌ〕より若干長く構成した点に特徴がある。これは図４に示したように本発明に係る瓶蓋１を瓶口Ａに嵌合して引抜摘み４を下方に押圧すると、係止片１９は延長部１７に当接して滑りながら側面部３の固定突起１８を乗りこえる。このとき延長部１７と係止片１９との間にテンションが作用するから、容易に係止片１９が固定突起１８を乗りこえることができる。そして一旦固定突起１８を乗りこえた後には係止片１９は図４の如く側面部３の反対方向に若干撓みを生じ、係止片１９はこの撓みによる弾性力によって固定突起１８に係止され、引抜摘み４は瓶口Ａの側面に密着して収納される。
【００１５】
図５は瓶蓋１の側面部３に係止段部３０を左右に形成した固定突起２９を一体に突出したもので、この固定突起２９の両側に２個の折畳部３１と空間部１６を形成し、更にこの空間部１６の内側両側には係止片３２を形成した引抜摘み４を付着させている。
この構造の瓶蓋１は瓶口に冠着するとき自動充填装置が引抜摘み４を瞬間的に瓶口側に押圧すると、この引抜摘み４は下降しながら係止片３２が固定突起２９の表面と当接し、引き続いて押圧すると係止片３２が左右に若干ずつ広がりながら固定突起２９の係止段部３０部分を乗りこえて図６の如く係止されて瓶口に沿って固定される。
【００１６】
図７は上面部２と側面部３からなる合成樹脂製瓶蓋１において、その側面部３に通孔４１と係止段部４２を有する固定突起４０を突出形成しており、この固定突起４０の両側面部に引抜摘み４を側面部３に連結している２個の折畳部４３が形成され、２つの折畳部４３の間の空間部１６には末端に突起４５を形成した係止片４４が引抜摘み４と直線方向に突出してある。
【００１７】
このような瓶蓋１は、瓶口に瓶蓋１が冠着されると同時に別途の機械装置が引抜摘み４を瞬間的に押圧してこの引抜摘み４は下方に折曲されると同時に係止片４４部分が係止段部４２に当接する。
しかし、このとき引抜摘み４は折畳部４３に発生するテンションと係止片４４自体のテンションにより、この係止片４４は容易に係止段部４２を乗りこえて図８に示すように係止片４４の突起４５部分が通孔４１中に進入して係止段部４２に係止して引抜摘み４は瓶首Ａに並行して固定される。
【００１８】
図９は上面部２と側面部３とを有する合成樹脂製瓶蓋１において、側面部３には下方に長く延長した固定突起４７を設けているが、これの下側末端には突出部４８を形成してある。
又、固定突起４７の左右に側面部３に２個の引抜摘み４のヒンジ部である折畳部４９が付着してある。この構造の瓶蓋１の引抜摘み４を固定する状態は次の通りである。
【００１９】
即ち、瓶蓋１を瓶口に冠着する工程において、引抜摘み４を下方に押圧するとこの引抜摘み４の係止片５０部分は瞬間的に固定突起４７に係止するが、このとき折畳部４９が瞬間的に直線状になりながら係止片５０部分が図１０のように突出部４８を乗りこえて係止され、弾力のある折畳部４９は原状態に復帰しようとする復元力が作用して引抜摘み４は瓶首Ａと並行して固定される。
【００２０】
図１１は図３に示した瓶蓋１と非常に類似した構成を有するもので、側面部３と上面部２を有する合成樹脂製瓶蓋１において、２つの切取部５の間の側面部３に固定突起５１を突出形成し、この両側に引抜摘み４の折畳部５２を連結し、２つの折畳部５２の間の空間部１６に「¬」字形の係止片５３を形成し、引抜摘み４と係止片５３上面に補強突起５４を形成してある。
【００２１】
この構造の瓶蓋１において、引抜摘み４を下方に押圧すると図２と同様に係止片５３が側面部３に滑接しながら固定突起５１を乗りこえて図１２の状態に係止される。このとき補強突起５４は係止片５３の可撓強度を一層増大させて引抜摘み４が一層堅固に固定される。なお、折畳部５２は自体のテンションを利用して係止片５３が固定突起５１を容易に乗りこれることができるように配慮する。
【００２２】
図１３乃至図２２は締結片に引抜摘みが係止して固定する方式を示すものである。
即ち、図１３に示す瓶蓋１の場合は、上面部２と側面部３からなる合成樹脂製瓶蓋１の側面部３に固定突起５６を一体に構成すると共に、締結片５７を突出形成する。
【００２３】
又、この固定突起５６両側面に引抜摘み４の折畳部５８部分を連結し、これらの折畳部５８の間に配置してある締結片５９に案内溝６１と締結溝６０を形成してある。このような瓶蓋１を瓶口に冠着する過程で引抜摘み４を下方に瞬間的に押圧すると、折畳部５８が折り畳まれながら引抜摘み４は垂直状態になるが、この過程で図１４の如く締結片５７は案内溝６１に沿って締結溝６０内に挿入される。これにより引抜摘み４は瓶口に沿って堅固に固定される。
【００２４】
図１５の瓶蓋１は図１９に示す瓶蓋に類似しており、上面部２と側面部３を有する合成樹脂製瓶蓋１の側面部３に固定突起６３を一体的に形成すると共に、締結片６４を突出形成し、そして固定突起６３の両側面に引抜摘み４の折畳部６５部分を連結し、空間部６６反対側の引抜摘み４に締結溝６７を形成している。
この構造の瓶蓋１においては、図１３に示した瓶蓋１とは反対に引抜摘み４を下方に押圧すると締結片６４が締結溝６７に挿入されて引抜摘み４が側面部３の下縁より垂下した状態に固定されることになる。
【００２５】
図１７は上面部２と側面部３とからなる合成樹脂製瓶蓋１の引抜摘み４引抜摘み４を固定突起６９に固定させる構造の瓶蓋１を示している。そしてこの瓶蓋１においては上側方向や下側方向に固定できるように、側面部３に設けた固定突起６９の上下に係止段部７０を形成し、引抜摘み４の折畳部７１の上下両面にに深い凹部を形成したものである。
【００２６】
従って、図１７及び図１８の実施例の瓶蓋１においては必要に応じて引抜摘み４を上下何れの方向にも固定することができる。
図１９は上面部２と側面部３からなる合成樹脂製瓶蓋１の引抜摘み４固定装置として引抜摘み４を固定突起７２に固定させる構造を示すものであって、引抜摘み４を固定突起７２の上側に連結している。
【００２７】
この瓶蓋１においては引抜摘み４を固定させるために下方に押圧すると上述したように引抜摘み４の係止段部７４が図２０のように固定突起７２の係止段部７３に係止固定されるが、この状態において引抜摘み４を瓶蓋１の側面部３のの上側に連結したことから固定突起７２の長さを側面部３の下端より突出されないようにすることができる。従って、瓶蓋１を軟質な材料で製造してせ引抜摘み４を固定する場合に固定突起７２が後方に押されることがなく、係止段部７３を容易に乗りこえて引抜摘み４を係止することができる。
【００２８】
図２１は、側面に突出形成した固定突起７５に固定する方式の引抜摘み４の固定装置において、引抜摘み４と瓶蓋１の側面部３間の折畳部７６を下側に曲面部が形成されるようにしたのである。
この構造の瓶蓋１においては引抜摘み４を下方に押圧すると図２２の如く引抜摘み４が固定突起７５の係止段部７７に係止されるが、このとき折畳部７６は曲面部分が強制的に伸ばされた状態となり、係止段部７７に一層強く引抜摘み４が密着されるという特徴がある。
【００２９】
図２３は上述した瓶蓋等と類似する形態の瓶蓋であり、引抜摘み４を固定させる手段として瓶蓋１の側面に「¬」字形の固定片２０を相互に対向させて切開部２１が形成されるように構成したものである。これ等の固定片２０の両側面に二条に連結された引抜摘み４に半円形の折畳部２２を夫々設け、折畳部２２と折畳部２２の間の空間部１６の中央に係止片２３を突出形成し、そして係止片２３の上側の後端に押圧突起２４が形成されたのである。
【００３０】
この構造の瓶蓋１は、瓶口に冠着するとき機械装置が引抜摘み４の押圧突起２４を瞬間的に押圧すると、係止片２３は先ず固定片２０の表面に当接し、折畳部２２が曲面に撓まれているから、この折畳部２２が伸ばされながら係止片２３は固定片２０の表面を滑接下降して図２４に示すように固定片２０の下側内部に引抜摘み４の係止片２３が係止することになり、引抜摘み４は瓶首Ａに密着固定される。
【００３１】
図２５は係止段部３０を有する固定片２５を左右に配置し、その間に引抜摘み４の曲面からなる折畳部２６を連結させたのである。又、折畳部２６の後方に押圧突起２７を突出し、この押圧突起２７の左右側に係止片２８を形成した瓶蓋１を示している。
このような瓶蓋１を瓶口に冠着する場合において、自動充填装置が引抜摘み４の押圧突起２７を瞬間的に押圧することによって係止片２８が先ず固定片２５の両側に当接し、瞬間的に加えられる力によりこの係止片２８は左右の固定片２５を押し退けながらこれらの固定片２５の間に挿入されて図２６のように係止片２８が固定片２５の係止片３０に係止して固定される。
【００３２】
図２７は上面部２と側面部３とからなる合成樹脂製瓶蓋１において、側面部３に二個の固定片３４が突出形成し、この固定片３４の下側末端に連結部３５で引抜き摘み４を一体的に形成しており、固定片３４及び連結部３５の内側面には係止段部３０が形成してある。
又、固定片３４両側に引抜摘み４の二個の折畳部３６を連結しており、折畳部３６と折畳部３６との間に係止片３７が引抜摘み４に対して直角に形成され、この係止片３７の末端に突起３８が突出されている。
【００３３】
このような瓶蓋１においては、瓶口に瓶蓋１が冠着されると同時に別途の機械装置が引抜摘み４を瞬間的に押圧することによってこの引抜摘み４は下方に折曲されると共に係止片３７部分が連結部３５に当接する。
然し、このとき引抜摘み４は折畳部３６のテンションと係止片３７自体のテンションによって係止片３７は容易に連結部３５を乗りこえて図２８に示すように突起３８部分が連結部３５内側の係止段部３０に係止して固定される。
【００３４】
図２９乃至図３４は、瓶首Ａが長い瓶に使用するために合成樹脂製瓶蓋の側面部が長く形成された合成樹脂製瓶蓋における引抜摘み固定装置を示している。ここでは引抜摘みが全て上側に折畳まれて固定される。
図２９の瓶蓋においては、上面部２と側面部３とからなる合成樹脂製瓶蓋１の側面部３の上下方向に長く固定突起７９を突出しており、この固定突起７９の上端には係止段部８０を形成し、折畳部８１を有する引抜摘み４に上下に長く係止溝８２が設けている。
【００３５】
このような瓶蓋１は瓶口に冠着した状態で引抜摘み４を固定させるためには上述した多数の実施例とは反対に、引抜摘み４を下側から上側に押し上げる。すると図３０に示すように係止溝８２が固定突起７９に嵌合して係止溝８２の上端部８３が係止段部８０に係止されて固定される。
図３１の瓶蓋１においては、引抜摘み４を折畳部８６を有する棒状形態ないしは枠形に製作し、上面部２と側面部３とからなる合成樹脂製瓶蓋１の側面部３に上下に長き二条の摘み挿入溝８５を形成している。
【００３６】
この瓶蓋１においては、この瓶蓋１を瓶口Ａに冠着して下側より上側に引抜摘み４を押し上げることによって四角棒形態の引抜摘み４の側面８７は図３２に示すように摘み挿入溝８５に完全に挿入されて、側面部３の表面には引抜摘み４が全く突出されないから、外観上美麗なものとなる特徴がある。
又、図３３の瓶蓋１においては図３１の瓶蓋と殆ど同様であるが、引抜摘み４が挿入される挿入溝８９を広く形成して図３４に示す如く引抜摘み４部分が全体的に挿入溝８９に収納されるようになっている。
【００３７】
図３５乃至図３８は引抜摘み支持部の作用によって引抜摘みが瓶首に密着固定される方式を示す実施例を示している。
即ち、図３５は上面部２と側面部３からなる合成樹脂製瓶蓋１において、引抜摘み４を固定させる手段として瓶蓋１の側面部３に直角形態に付着された引抜摘み４の穴４ａ付近まで空間部９５を形成し、この瓶蓋１側面部２の上端の空間部９５末端と引抜摘みの穴４ａ側空間部末端との間に一直線の支持部９３を一体に構成している。
【００３８】
この構造の瓶蓋において、図３５の状態で瓶口に冠着される過程で別途の機械装置で引抜摘み４を押圧すると、支持部９３は空間部の内面の長さより短いから容易に下降されないが、一定以上の大きさの力が加えられると折畳部９４部分が折曲されながら図３６に表示する如く支持部９３は引抜摘み４と共に一直線状態に瓶首に密着されることになる。
【００３９】
図３７は別の実施例の引抜摘みを固定手段を示すものであって、合成樹脂製瓶蓋１側面に付着された引抜摘み４に側面部３から一定長さの空間部９９を形成しこの空間部９９にその長さより長い支持部９７を空間部９９の下方に折曲した状態に構成したものである。
このような構造の瓶蓋１は、図３７の状態ものを瓶口に冠着する過程で別途の機械装置で引抜摘み４を押圧すると、支持部９７の長さが空間部９９の長さより長く構成されていることから、引抜摘み４は容易に下側に折曲されないが、一定する大きい力を加えることによって折畳部９８部分が折曲されると共に支持部９７部分は強制的に撓まれながら位置が変更されて図３８の如く空間部９９の上側に折曲された状態になる。そこで引抜摘み４は継続的に瓶首Ａに密着しようとする力を受けるから瓶首Ａに密着固定されることになる。
【００４０】
図４０は引抜き摘みを固定させる手段を示す断面図であって、合成樹脂製瓶蓋１の側面部３に直角方向に引抜摘み４を一体的に形成し、かつ、末端に突起１００ａを形成した支持部１００を瓶蓋１の側面部３内側の挿入部９の中心部まで届くように形成し、この末端より直上方の末端まで支持部連結面１０１を形成している。
【００４１】
このような瓶蓋１においては図４０に示す状態に瓶口Ａに冠着すると支持部１００の末端に形成した突起１００ａ部分が瓶首Ａの上側面と当接して上方に押されながら折畳部１０３が折畳まれながら図４１の状態に固定される。このとき突起１００ａ部分は瓶首Ａの側面に当接して図４１のように瓶蓋１の側面部に突出された状態になり、支持部１００は接続的なテンションを有するから引抜摘み４が瓶首Ａに密着される状態が良好となる。
【００４２】
図４２は別の引抜摘み４を固定させる手段を示すものであって、合成樹脂製瓶蓋１の側面部３に直角に引抜摘み４を一体的に成形し、かつ、支持部１０４を瓶蓋側面部３内側の挿入部９中心迄進入するように形成し、支持部１０４の末端には下側方向に突出部１０５を形成し、支持部１０４の上側の瓶蓋側面部３には空間部１０６を設けて構成したものである。
【００４３】
このような構成の瓶蓋１において、図４３に示した状態に瓶口に冠着すると支持部１０４末端の突出部１０５部分が瓶首Ａの上側面と当接することになり上側に持ち上げられながら、引抜摘み４の折畳部１０７が折畳まれる。すると瓶蓋１が瓶首Ａに完全に冠着されると共に、引抜摘み４も図４３に示すように瓶首Ａに密着固定されるが、このとき支持部１０４の突出部１０５は瓶首Ａの上側面を取りかこむことになり、支持部１０４は瓶首Ａの側面に密着されテンションを有するから引抜摘み４は持続的に瓶首Ａに密着固定されるのである。
【００４４】
【発明の効果】
上述の実施例により説明した如く、本発明合成樹脂製瓶蓋の引抜摘み固定装置は、合成樹脂製瓶蓋１の側面部に一体に構成された引抜摘み４が瓶蓋１を瓶口に冠着させた状態で瓶首Ａと並行してこの瓶首Ａに密着固定され、一定する力を加えない限り密着固定された状態より解放されない。
【００４５】
従って流通過程で取扱いが非常に容易であり、不注意によって瓶蓋１が開放されて内容物が漏出すことを予防することができ、合成樹脂製瓶蓋の使用価値を一層高揚させることができる。
【図面の簡単な説明】
【図１】本発明の第１の実施例に係る引抜摘みの固定装置を設けた合成樹脂製瓶蓋の斜視図である。
【図２】図１に示す合成樹脂製瓶蓋の使用状態を示す斜視図である。
【図３】  合成樹脂製瓶蓋の側断面図である。  
【図４】  図３に示す合成樹脂製瓶蓋の使用状態を示す側断面図である。
【図５】合成樹脂製瓶蓋の斜視図である。
【図６】図５に示す合成樹脂製瓶蓋の作動状態を示す斜視図である。
【図７】合成樹脂製瓶蓋の斜視図である。
【図８】図７に示す合成樹脂製瓶蓋の作動状態を示す斜視図である。
【図９】合成樹脂製瓶蓋の斜視図である。
【図１０】図９に示す合成樹脂製瓶蓋の作動状態を示す斜視図である。
【図１１】合成樹脂製瓶蓋の斜視図である。
【図１２】図１１に示す合成樹脂製瓶蓋の作動状態を示す斜視図である。
【図１３】合成樹脂製瓶蓋の斜視図である。
【図１４】図１３に示す合成樹脂製瓶蓋の作動状態を示す斜視図である。
【図１５】合成樹脂製瓶蓋の斜視図である。
【図１６】図１５に示す合成樹脂製瓶蓋の作動状態を示す斜視図である。
【図１７】合成樹脂製瓶蓋の斜視図である。
【図１８】図１７に示す合成樹脂製瓶蓋の作動状態を示す斜視図である。
【図１９】合成樹脂製瓶蓋の斜視図である。
【図２０】図１９に示す合成樹脂製瓶蓋の作動状態を示す斜視図である。
【図２１】合成樹脂製瓶蓋の斜視図である。
【図２２】図２１に示す合成樹脂製瓶蓋の作動状態を示す斜視図である。
【図２３】本発明の第２の実施例に係る合成樹脂製瓶蓋の斜視図である。
【図２４】図２３に示す合成樹脂製瓶蓋の作動状態を示す斜視図である。
【図２５】合成樹脂製瓶蓋の斜視図である。
【図２６】図２５に示す合成樹脂製瓶蓋の作動状態を示す斜視図である。
【図２７】合成樹脂製瓶蓋の斜視図である。
【図２８】図２７に示す合成樹脂製瓶蓋の作動状態を示す斜視図である。
【図２９】本発明の第３の実施例に係る合成樹脂製瓶蓋の斜視図である。
【図３０】図２９に示す合成樹脂製瓶蓋の作動状態を示す斜視図である。
【図３１】合成樹脂製瓶蓋の斜視図である。
【図３２】図３１に示す合成樹脂製瓶蓋の作動状態を示す斜視図である。
【図３３】合成樹脂製瓶蓋の斜視図である。
【図３４】図３３に示す合成樹脂製瓶蓋の作動状態を示す斜視図である。
【図３５】本発明の第４の実施例に係る合成樹脂製瓶蓋の斜視図である。
【図３６】図３５に示す合成樹脂製瓶蓋の使用状態を示す斜視図である。
【図３７】合成樹脂製瓶蓋の斜視図である。
【図３８】図３７に示す合成樹脂製瓶蓋の使用状態を示す斜視図である。
【図３９】図３８の状態の要部を断面して示す側断面図である。
【図４０】合成樹脂製瓶蓋の側断面図である。
【図４１】図４０に示す合成樹脂製瓶蓋の使用状態を示す斜視図である。
【図４２】本発明の第５の実施例に係る合成樹脂製瓶蓋の側断面図である。
【図４３】図４２に示す合成樹脂製瓶蓋の使用状態を示す斜視図である。
【符号の説明】
１  瓶蓋              ２  上面部              ３  側面部
４  引抜摘み          ５  切取部
１０，１８，２９，４７，５１，５６，６３，６９，７２，７５，７９  固定突起
１４，１９，２３，２８，３２，５０，５５１  係止片
１３，２４，２７  押圧突起          １６，９５，９９  空間部
１２，２２，２６，３１，３６，４３，４９，５２，５８，６５  折畳部
７１，７６，８１，８６，９１，９４，９８，１０３，１０７  折畳部
２０，２５，３４，４０  固定片
３０，７０，７３，７７，８０  係止段部
【図１】
0003659264.tif 000002
【図２】
0003659264.tif 000003
【図３】
0003659264.tif 000004
【図４】
0003659264.tif 000005
【図５】
0003659264.tif 000006
【図６】
0003659264.tif 000007
【図７】
0003659264.tif 000008
【図８】
0003659264.tif 000009
【図９】
0003659264.tif 000010
【図１０】
0003659264.tif 000011
【図１１】
0003659264.tif 000012
【図１２】
0003659264.tif 000013
【図１３】
0003659264.tif 000014
【図１４】
0003659264.tif 000015
【図１５】
0003659264.tif 000016
【図１６】
0003659264.tif 000017
【図１７】
0003659264.tif 000018
【図１８】
0003659264.tif 000019
【図１９】
0003659264.tif 000020
【図２０】
0003659264.tif 000021
【図２１】
0003659264.tif 000022
【図２２】
0003659264.tif 000023
【図２３】
0003659264.tif 000024
【図２４】
0003659264.tif 000025
【図２５】
0003659264.tif 000026
【図２６】
0003659264.tif 000027
【図２７】
0003659264.tif 000028
【図２８】
0003659264.tif 000029
【図２９】
0003659264.tif 000030
【図３０】
0003659264.tif 000031
【図３１】
0003659264.tif 000032
【図３２】
0003659264.tif 000033
【図３３】
0003659264.tif 000034
【図３４】
0003659264.tif 000035
【図３５】
0003659264.tif 000036
【図３６】
0003659264.tif 000037
【図３７】
0003659264.tif 000038
【図３８】
0003659264.tif 000039
【図３９】
0003659264.tif 000040
【図４０】
0003659264.tif 000041
【図４１】
0003659264.tif 000042
【図４２】
0003659264.tif 000043
【図４３】
0003659264.tif 000044